【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
複数の基地局により連携上りリンク処理を実行する方法であって、
サービング基地局により、移動局の上りリンクデータを受信するために第２の基地局の上りリンクリソースの要求を送信するステップと、
前記サービング基地局により、前記移動局から第１の上りリンクデータを受信するステップと、
前記サービング基地局により、前記要求により指定された前記上りリンクリソースを使用して前記第２の基地局により受信された前記移動局の第２の上りリンクデータを受信するステップと
を有する方法。
【請求項２】
前記移動局から前記サービング基地局により受信された前記第１の上りリンクデータを、前記第２の基地局から受信された前記第２の上りリンクデータと結合し、前記移動局により送信された実際の上りリンクデータを導くステップを更に有する、請求項１に記載の方法。
【請求項３】
前記要求を送信するステップは、前記サービング基地局のアドバンススケジューラにより実行され、
前記要求は、前記サービング基地局の戦術的スケジューラにより実行される実際のスケジューリングの前に、前記アドバンススケジューラにより実行されるアドバンススケジューリングに基づく、請求項１に記載の方法。
【請求項４】
前記要求を送信するステップは、前記要求を前記第２の基地局の戦術的スケジューラに送信し、前記第２の基地局が前記移動局からの上りリンク通信のリソースをスケジューリングすることを可能にするステップを有し、
前記第２の基地局による前記リソースのスケジューリングは、前記要求により指定された前記上りリンクリソースを考慮する、請求項３に記載の方法。
【請求項５】
前記サービング基地局により、上りリンク許可を前記移動局に送信し、前記移動局が前記第１の上りリンクデータを送信するための上りリンクリソースを割り当てるステップと、
前記サービング基地局により、前記上りリンク許可により割り当てられた前記上りリンクリソースで前記第１の上りリンクデータを受信するステップと
を更に有する、請求項３に記載の方法。
【請求項６】
前記サービング基地局により、前記第１の上りリンクデータの受信に応じて一時停止指示を送信するステップと、
前記一時停止指示を送信した後に、実際の上りリンクデータが前記第１及び第２の上りリンクデータを結合することから回復できない場合、前記サービング基地局により、前記第１の上りリンクデータの再送信の要求を前記移動局に送信するステップと
を更に有する、請求項５に記載の方法。
【請求項７】
前記サービング基地局により、前記第１の上りリンクデータの受信に応じて一時停止指示を送信するステップと、
前記一時停止指示を送信した後に、前記サービング基地局が前記移動局の実際の上りリンクデータをうまく復号化できたことに応じて、前記サービング基地局により、上りリンク許可を前記移動局に送信し、前記移動局が次の上りリンクデータを送信可能にするステップと
を更に有する、請求項５に記載の方法。
【請求項８】
前記サービング基地局が前記上りリンクデータをうまく復号化できるように、前記第２の基地局が前記サービング基地局と協調動作して連携上りリンクデータを処理することができるか否かを、前記サービング基地局が判定できるまで、前記サービング基地局により、前記サービング基地局から前記移動局へのハイブリッドARQ（automatic  repeat  request）フィードバックの提供を遅らせるステップを更に有する、請求項１に記載の方法。
【請求項９】
前記サービング基地局により、前記第２の基地局から失敗指示を受信するステップを更に有し、
前記失敗指示は、前記第２の基地局が前記第２の基地局により受信された前記移動局からの前記上りリンクデータをうまく復号化できなかったことを示す、請求項１に記載の方法。
【請求項１０】
前記サービング基地局により前記第２の基地局から前記第２の上りリンクデータを受信したことは、前記第２の基地局が前記第２の基地局により受信された前記移動局からの前記上りリンクデータをうまく復号化できたことの指示である、請求項１に記載の方法。
【請求項１１】
前記サービング基地局により、１つ以上の所定のルールにアクセスし、前記第２の基地局が前記移動局について前記サービング基地局との上りリンクデータの連係処理を実行するために利用可能であるか否かを判定するステップを更に有する、請求項１に記載の方法。
【請求項１２】
前記１つ以上の所定のルールは、信号及び雑音の相対的強度のインジケータの相対値に基づき、
前記インジケータのうち第１のものは、前記サービング基地局と前記移動局との間の無線通信に関連し、
前記インジケータのうち第２のものは、連携処理基地局と前記移動局との間の無線通信に関連する、請求項１１に記載の方法。
【請求項１３】
前記インジケータは、信号対干渉及び雑音比を有する、請求項１２に記載の方法。
【請求項１４】
前記サービング基地局により、前記移動局の上りリンクデータを受信するために第３の基地局の上りリンクリソースの第２の要求を送信するステップと、
前記サービング基地局により、前記第３の基地局から、前記第２の要求により指定された前記上りリンクリソースを使用して前記第３の基地局により受信された前記移動局の第３の上りリンクデータを受信するステップと
を更に有する、請求項１に記載の方法。
【請求項１５】
実行されたときに、サービング基地局に対して請求項１ないし１４のうちいずれか１項に記載の方法を実行させる命令を格納した少なくとも１つの機械可読記憶媒体を有する物。
【請求項１６】
第２の基地局へのインタフェースと、
少なくとも１つのプロセッサと
を有し、
前記少なくとも１つのプロセッサは、
移動局の上りリンクデータを受信するために第２の基地局の上りリンクリソースの要求を送信し、
前記移動局から第１の上りリンクデータを受信し、
前記要求により指定された前記上りリンクリソースを使用して前記第２の基地局により受信された前記移動局の第２の上りリンクデータを受信するように構成されるサービング基地局。
【請求項１７】
前記少なくとも１つのプロセッサは、
前記移動局から前記サービング基地局により受信された前記第１の上りリンクデータを、前記第２の基地局から受信された前記第２の上りリンクデータと結合し、前記移動局により送信された実際の上りリンクデータを導くように更に構成される、請求項１６に記載のサービング基地局。
【請求項１８】
前記少なくとも１つのプロセッサは、
上りリンク許可を前記移動局に送信し、前記移動局が前記第１の上りリンクデータを送信するための上りリンクリソースを割り当て、
前記上りリンク許可により割り当てられた前記上りリンクリソースで前記第１の上りリンクデータを受信するように更に構成される、請求項１６に記載のサービング基地局。
【請求項１９】
前記少なくとも１つのプロセッサは、
前記第１の上りリンクデータの受信に応じて一時停止指示を送信し、
前記一時停止指示を送信した後に、実際の上りリンクデータが前記第１及び第２の上りリンクデータを結合することから回復できない場合、前記第１の上りリンクデータの再送信の要求を前記移動局に送信するように更に構成される、請求項１８に記載のサービング基地局。
【請求項２０】
前記少なくとも１つのプロセッサは、
前記第１の上りリンクデータの受信に応じて一時停止指示を送信し、
前記一時停止指示を送信した後に、前記サービング基地局が前記移動局の実際の上りリンクデータをうまく復号化できたことに応じて、上りリンク許可を前記移動局に送信し、前記移動局が次の上りリンクデータを送信可能にするように更に構成される、請求項１８に記載のサービング基地局。